(57)【要約】【課題】パワーダウンモードでレギュレータによる電力消耗を防止する電子装置及び電力消耗防止方法を提供する。【解決手段】本発明の電子装置は、電源電圧を変換するレギュレータと、レギュレータによって変換された電圧が供給され、パワーダウンモードに進入したか否かを判断してレギュレータをディセーブルさせる中央処理装置と、リセット信号又はインタラプト信号に応答してリセット動作を遂行するインタラプトコントロール部と、を含む。リセット動作が遂行されるとき、レギュレータはイネーブルされる。これにより、パワーダウンモードでレギュレータをディセーブルさせることによって、電力消耗を防止できる。【選択図】図２
2006180486.tif 000002
【特許請求の範囲】
【請求項１】
電源電圧を変換するレギュレータと、
前記レギュレータによって変換された電圧が供給され、前記パワーダウンモードの進入可否を判断して前記レギュレータをディセーブルさせる中央処理装置と、
リセット信号又はインタラプト信号に応答してリセット動作を遂行するインタラプトコントロール部と、
を含み、
前記リセット動作が遂行されるとき、前記レギュレータはイネーブルされることを特徴とする無線電子装置。
【請求項２】
前記インタラプトコントロール部は、
前記インタラプト信号に応答してリセット情報を出力するインタラプトコントローラと、
前記リセット信号又は前記インタラプトコントローラからのリセット情報に応答して前記リセット動作を制御するリセットコントローラと、
を含むことを特徴とする請求項１に記載の無線電子装置。
【請求項３】
前記パワーダウンモードで前記中央処理装置から前記レギュレータをディセーブルさせるための信号が入力されるレジスタをさらに含み、
前記レジスタは、前記リセット信号に応答して前記レギュレータをイネーブルさせることを特徴とする請求項１に記載の無線電子装置。
【請求項４】
前記インタラプトコントロール部は、
レジスタと前記インタラプトコントロール部にそれぞれ連結された入力端子及び前記リセットコントローラに連結された出力端子を有するロジックゲートをさらに含むことを特徴とする請求項２に記載の無線電子装置。
【請求項５】
前記ロジックゲートは、ＡＮＤゲートであることを特徴とする請求項４に記載の無線電子装置。
【請求項６】
前記電源電圧は、電源ソースから供給されることを特徴とする請求項１に記載の無線電子装置。
【請求項７】
前記レジスタ及び前記インタラプトコントロール部は、前記電源ソースからそれぞれ電源電圧が供給されることを特徴とする請求項４に記載の無線電子装置。
【請求項８】
前記リセット信号及び前記インタラプト信号は、入力部から入力されることを特徴とする請求項２に記載の無線電子装置。
【請求項９】
前記レギュレータから前記電源電圧が供給される周辺装置をさらに含むことを特徴とする請求項１に記載の無線電子装置。
【請求項１０】
前記パワーダウンモードでは、前記中央処理装置及び周辺回路に前記電源電圧が遮断されることを特徴とする請求項９に記載の無線電子装置。
【請求項１１】
電源電圧を変換するレギュレータと、
前記レギュレータによって変換された電源電圧が供給され、パワーダウンモード又は節電モードの進入可否を判断する中央処理装置と、
前記プロセッサーによって制御に応じて前記パワーダウンモード又は前記節電モードを設定し、前記レギュレータのディセーブル/イネーブル状態を設定するためのレジスタと、
リセット信号又はインタラプト信号に応答して前記レジスタを初期化するリセット動作を遂行するインタラプトコントロール部と、
を含み、
前記パワーダウンモードで前記レギュレータはディセーブルされ、前記節電モードで前記レギュレータはディセーブルされないことを特徴とする無線電子装置。
【請求項１２】
前記インタラプトコントロール部は、
前記インタラプト信号に応答してリセット情報を出力するインタラプトコントローラと、
前記リセット信号又は前記インタラプトコントローラからのリセット情報に応答して前記リセット動作を制御するリセットコントローラと、
を含むことを特徴とする請求項１１に記載の無線電子装置。
【請求項１３】
前記インタラプトコントロール部は、
レジスタと前記インタラプトコントロール部にそれぞれ連結された入力端子及び前記リセットコントローラに連結された出力端子を有するＡＮＤゲートをさらに含むことを特徴とする請求項１１に記載の無線電子装置。
【請求項１４】
前記電源電圧は、バッテリーから供給されることを特徴とする請求項１３に記載の無線電子装置。
【請求項１５】
前記レジスタ及び前記インタラプトコントロール部は、前記バッテリーからそれぞれ電源電圧が供給されることを特徴とする請求項１１に記載の無線電子装置。
【請求項１６】
パワーダウンモードに進入したか否かを判断する段階と、
前記パワーダウンモードに進入する場合、電子装置内のプロセッサーに供給される電源電圧を遮断するためレギュレータをディセーブルさせる段階と、
レジスタ及びインタラプトコントロール部に直接電源電圧を供給する段階と、
を含むことを特徴とする無線電子装置の電力消耗防止方法。
【請求項１７】
前記プロセッサーは、
前記パワーダウンモードの進入可否を判断し、前記レギュレータをディセーブルさせるために前記レジスタを制御することを特徴とする請求項１６に記載の無線電子装置の電力消耗防止方法。
【請求項１８】
前記インタラプトコントロール部は、
リセットコントローラ、インタラプトコントローラ、そして前記インタラプトコントローラと前記レジスタに入力端がそれぞれ連結され、前記リセットコントローラに出力端が連結されるロジックゲートをさらに含むことを特徴とする請求項１６に記載の無線電子装置の電力消耗防止方法。
【請求項１９】
前記インタラプトコントローラは、インタラプト信号に応答して前記レジスタにリセット情報を出力し、
前記レジスタは、前記レギュレータをイネーブルすることを特徴とする請求項１８に記載の無線電子装置の電力消耗防止方法。
【請求項２０】
前記リセットコントローラは、リセット信号に応答してリセット動作を制御し、前記レジスタは前記レギュレータをイネーブルすることを特徴とする請求項１８に記載の無線電子装置の電力消耗防止方法。
【発明の詳細な説明】
【技術分野】
【０００１】
本発明は、電子装置に関するものであり、より詳しくは、パワーダウンモードでレギュレータによる電力消耗を防止する電子装置及び電力消耗防止方法に関するものである。
【背景技術】
【０００２】
一般に、電子装置は電力消耗を減らすため、所定の内部装置の動作を停止させるパワーダウンモードを支援する。電子装置内の中央処理装置（Ｃｅｎｔｒａｌ  Ｐｒｏｃｅｓｓｉｎｇ  Ｕｎｉｔ；ＣＰＵ）及びその他周辺装置は、ノーマルモードで正常的に動作してから使用者が設定した所定の条件が満足されれば、電力消耗を防止するためパワーダウンモードに進入する。
【０００３】
パワーダウンモードから再びノーマルモードに進入するように（すなわち、中央処理装置及びその他周辺装置が正常動作するように）するためには、使用者がインタラプト信号又はリセット信号を印加しなければならない。
【０００４】
電子装置の高集積化傾向により、内部回路の中央処理装置及びその他周辺装置のサイズも次第に縮小されるため、一般に高集積回路では高い電源電圧を低い動作電圧に作って内部回路に印加するレギュレータを使用する。
【０００５】
電子装置がパワーダウンモードに進入しても、一般に電子装置のレギュレータは、パワーダウンモードで動作状態に設定されなければならない。従って、中央処理装置及びその他周辺装置に動作電圧を供給するレギュレータがパワーダウンモードで動作状態になければならなく、これによる電力消耗がある。
【発明の開示】
【発明が解決しようとする課題】
【０００６】
本発明の技術的課題は、パワーダウンモードでレギュレータによる電力消耗を防止するための電子装置を提供するところにある。
【０００７】
本発明の他の技術的課題は、パワーダウンモードでレギュレータによる電力消耗を防止する方法を提供するところにある。
【課題を解決するための手段】
【０００８】
前述した技術的課題を達成するために、本発明はパワーダウンモードを含む電子装置を提供する。この電子装置は、電源電圧を変換するレギュレータと、レギュレータによって変換された電圧が供給され、パワーダウンモードの進入可否を判断してレギュレータをディセーブルさせる中央処理装置と、リセット信号ＲＥＳＥＴ又はインタラプト信号Ｅｘ＿ｉｎｔに応答してリセット動作を遂行するインタラプトコントロール部と、を含む。リセット動作が遂行されるとき、レギュレータはイネーブルされる。
【０００９】
本発明の一実施形態において、インタラプトコントロール部は、インタラプト信号Ｅｘ＿ｉｎｔに応答してリセット情報を出力するインタラプトコントローラと、リセット信号ＲＥＳＥＴ又はインタラプトコントローラからのリセット情報に応答してリセット動作を制御するリセットコントローラと、を含む。
【００１０】
本発明の一実施形態において、中央処理装置によって制御され、パワーダウンモードでレギュレータのイネーブル／ディセーブル状態を制御するためのレジスタをさらに含む。
【００１１】
本発明の一実施形態において、インタラプトコントロール部は、レジスタとインタラプトコントロール部にそれぞれ連結された入力端子及びリセットコントローラに連結された出力端子を有するＡＮＤゲートをさらに含む。
【００１２】
本発明の一実施形態において、レジスタ及びインタラプトコントロール部は、それぞれ電源電圧が直接供給される。
【００１３】
本発明の一実施形態において、リセット信号ＲＥＳＥＴ及びインタラプト信号Ｅｘ＿ｉｎｔは、キー入力部から入力される。 本発明の一実施形態において、レギュレータから電源電圧が供給される周辺装置をさらに含む。
【００１４】
本発明の一実施形態において、パワーダウンモードは、電力消耗を減らすため中央処理装置及び周辺回路の動作が中止される状態である。
【００１５】
本発明の一実施形態において、レギュレータ、中央処理装置及びインタラプトコントロール部は、リモートコントローラから構成する。
【００１６】
本発明の他の実施形態において、電子装置は、電源電圧を変換するレギュレータと、レギュレータによって変換された電源電圧が供給され、パワーダウンモード又は節電モードの進入可否を制御する中央処理装置と、中央処理装置によって制御され、パワーダウンモード又は節電モードの進入可否及びレギュレータのディセーブル又はイネーブル状態を制御するためのレジスタと、リセット信号ＲＥＳＥＴ又はインタラプト信号Ｅｘ＿ｉｎｔに応答してレジスタを初期化させるためのリセット動作を遂行するインタラプトコントロール部と、を含む。この場合に、パワーダウンモードでレギュレータはディセーブルされ、節電モードでレギュレータはディセーブルされない。
【００１７】
本発明の他の実施形態において、インタラプトコントロール部は、インタラプト信号Ｅｘ＿ｉｎｔに応答してリセット情報を出力するインタラプトコントローラと、リセット信号ＲＥＳＥＴ又はインタラプトコントローラからリセット情報に応答してリセット動作を遂行する。
【００１８】
本発明の他の実施形態において、インタラプトコントロール部は、レジスタとインタラプトコントロール部にそれぞれ連結された入力端子及びリセットコントローラに連結された出力端子を有するＡＮＤゲートをさらに含む。
【００１９】
本発明の他の実施形態において、リセット動作によってレギュレータがイネーブルされる。
【００２０】
本発明の他の実施形態において、レジスタ及びインタラプトコントロール部は、それぞれ電源電圧が直接供給される。
【００２１】
前述した他の技術的課題を達成するために、本発明は電子装置の電力消耗防止方法を含む。電子装置の電力消耗防止方法は、パワーダウンモードに進入するか否かを判断する段階と、パワーダウンモードに進入する場合、レギュレータをディセーブルさせる段階と、インタラプト信号が入力されたか否かを判断する段階と、インタラプト信号に応答して、レギュレータをイネーブルさせるためのリセット動作を遂行する段階と、を含む。
【発明の効果】
【００２２】
前述したように本発明によれば、パワーダウンモードでレギュレータをディセーブルさせることによって、電力消耗を防止できる。
【発明を実施するための最良の形態】
【００２３】
以下、本発明の例示的な実施形態が参照図面に基づいて詳細に説明される。
【００２４】
図１は、本発明に従う電子装置を概略的に示すブロック図である。図１を参照すれば、電子装置１００は電源１０１と、キー入力部１０２と、マイクロコントロール部２００と、を含む。
【００２５】
電源１０１は、マイクロコントロール部２００に所定の電源電圧Ｖｄｄを供給し、キー入力部１０２は使用者がキーパッド（図示せず）などを用いて入力した信号ＲＥＳＥＴ，Ｅｘ＿ｉｎｔをマイクロコントロール部２００に伝達する。
【００２６】
図２は、本発明の例示的な実施形態によって図１のマイクロコントロール部を概略的に示すブロック図である。図２を参照すれば、マイクロコントロール部２００はレギュレータ２０１と、レジスタ２０２と、インタラプトコントロール部２１０と、中央処理装置２０３及びマイクロコントロール部２００の動作に必要なその他周辺装置２０４と、を含む。
【００２７】
レギュレータ２０１は、電源から供給される電源電圧Ｖｄｄを中央処理装置２０３及びその他周辺装置２０４が動作できる所定の動作電圧Ｖｒｅｇに変換して中央処理装置２０３及びその他周辺装置２０４に供給する役割を果たす。
【００２８】
レジスタ２０２は、中央処理装置２０３によって制御され、レギュレータ２０１の動作状態（すなわち、レギュレータ２０１のイネーブル／ディセーブル状態）及びパワーダウンモードの進入可否（又はパワーダウンモードであるか、或いはノーマルモードであるか否か）を制御するための貯蔵装置である。中央処理装置２０３は、使用者（Ｕｓｅｒ）が設定したパワーダウンモードの進入条件を満足すれば、パワーダウンモードに進入するようにレジスタ２０２の値をハイレベル（すなわち、ロジック“１”）に設定する。パワーダウンモードは、電源を含む電子装置１００で電力消耗を減らすため、システムクロックを発生するオシレーター（図示せず）も動作しない状態を言う。
【００２９】
インタラプトコントロール部２１０は、パワーダウンモードで外部インタラプトが発生したとき、リセット動作を遂行させることであるか否かを決定し、ＡＮＤゲート２１３と、リセットコントローラ２１１及びインタラプトコントローラ２１２と、から構成される。ＡＮＤゲート２１３の二つ入力端は、それぞれレジスタ２０２とインタラプトコントローラ２１２に連結され、出力端はリセットコントローラ２１１に連結される。ＡＮＤゲート２１３は、レジスタ２０２とインタラプトコントローラ２１２の出力値が全てハイレベル（すなわち、ロジック“１”）であるとき、リセットコントローラ２１１にリセット信号ＲＥＳＥＴを出力する。リセットコントローラ２１１は、キー入力部１０２又はＡＮＤゲート２１３からのリセット信号ＲＥＳＥＴに応答して、マイクロコントロール部２００の動作を初期状態に戻るリセット動作を遂行する。すなわち、レジスタ２０２の値をローレベル（ロジック“０”）に初期化してレギュレータ２０１をイネーブルさせる。インタラプトコントローラ２１２は、外部インタラプトが発生したか否かを検出する検出回路であり、キー入力部１０２からのインタラプト信号Ｅｘ＿ｉｎｔに応答してＡＮＤゲート２１３にハイレベルの信号を出力する。
【００３０】
レジスタ２０２、リセットコントローラ２１１、そしてインタラプトコントローラ２１２は、電源１０１に連結されて電源１０１から直接電源電圧Ｖｄｄが供給される。従って、レジスタ２０２、リセットコントローラ２１１、そしてインタラプトコントローラ２１２はレギュレータ２０１が動作しないパワーダウンモードでも動作が可能である。
【００３１】
前述した本発明の一実施形態によれば、パワーダウンモードで外部インタラプトによってノーマルモードに進入するときリセット動作を遂行するため、中央処理装置２０３及びその他周辺回路２０４がパワーダウンモードの進入以前状態を記憶する必要がない。従って、パワーダウンモードでレギュレータ２０１をディセーブルさせて電力消耗を防止できる。
【００３２】
図３は、本発明の例示的な実施形態によって電子装置のレギュレータ２０１による電力消耗防止方法を説明するためのフローチャートである。図３を参照すれば、中央処理装置２０３は使用者が設定したパワーダウンモードの進入条件（例えば、所定時間中キー入力部の入力がない場合）が満足するか否かを判断する（Ｓ１００）。パワーダウンモードに進入する場合、中央処理装置２０３はレジスタ２０２の値をハイレベル（すなわち、ロジック“１”）に設定する（Ｓ２００）。レジスタ２０２の値がハイレベルに設定されれば、レギュレータ２０１はディセーブルされ、中央処理装置２０３及びその他周辺装置２０４には電源が供給されない（Ｓ３００）。しかしながら、レジスタ２０２、リセットコントローラ２１１及びインタラプトコントローラ２１２は電源１０１から直接電源電圧Ｖｄｄが供給されるため、動作状態を維持する。
【００３３】
使用者のキー入力などによって、キー入力部１０２からインタラプト信号Ｅｘ＿ｉｎｔがインタラプトコントローラ２１２に入力されれば、インタラプトコントローラ２１２はＡＮＤゲート２１３にハイレベルの信号を出力する（Ｓ４００）。この際、レジスタ２０２はハイレベルの値を有するため、ＡＮＤゲート２１３の出力端にハイレベルのリセット信号ＲＥＳＥＴが出力される。リセットコントローラ２１１は、リセット信号ＲＥＳＥＴに応答してマイクロコントロール部２００の動作を初期状態に戻るリセット動作を遂行し（Ｓ５００）、レジスタ２０２の値がローレベルに初期化されてレギュレータ２０１がイネーブルされる。従って、レギュレータ２０１は中央処理装置２０３及びその他周辺装置２０４に動作電圧Ｖｒｅｇを供給する。
【００３４】
マイクロコントロール部２００が正常的に動作するノーマルモードでは、レジスタ２０２の値は、ローレベル（すなわち、ロジック“０”）に設定されている。すなわち、レジスタ２０２の値は、ローレベルに初期化されている。この際、外部インタラプトが発生してインタラプトコントローラ２１２がハイレベルの信号を出力しても、ＡＮＤゲート２１３の出力端にはローレベルの信号が出力されるため、リセットコントローラ２１１は、リセット動作を遂行しない。従って、ノーマルモードでは外部インタラプトによってマイクロコントロール部２００がリセットされることを防止できる。
【００３５】
パワーダウンモードの以外に、レギュレータ２０１がディセーブルされない節電モードを設定できる。中央処理装置２０３は、使用者が設定した節電モードの進入条件が満足するか否かを判断する。この場合、中央処理装置２０３は、レジスタ２０２にレギュレータ２０１のイネーブル／ディセーブル状態以外に節電モード又はパワーダウンモードの進入可否を示す値を追加で設定する。節電モードでレギュレータ２０１は、イネーブル状態を維持する。使用者のキー入力などによって、キー入力部１０２からインタラプト信号Ｅｘ＿ｉｎｔがインタラプトコントローラ２１２に入力されても、レジスタ２０２の設定値によってＡＮＤゲート２１３はローレベルの信号を出力する。従って、外部インタラプトによってリセット動作が遂行されず、節電モードの進入直後の時点からマイクロコントロール部２００の動作が再び始まる。
【００３６】
本発明に従う回路の構成及び動作を前述した説明及び図面によって示したが、これは例を挙げて説明したことに過ぎなく、本発明の技術的思想及び範囲を外れない範囲内で多様な変化及び変更が可能なことは勿論である。
【図面の簡単な説明】
【００３７】
【図１】本発明に従う電子装置を概略的に示すブロック図である。
【図２】本発明の例示的な実施形態によって図１のマイクロコントロール部を概略的に示すブロック図である。
【図３】本発明の例示的な実施形態によって電子装置の電力消耗防止方法を説明するためのフローチャートである。
【符号の説明】
【００３８】
２００  マイクロコントロール部
２０１  レギュレータ
２０２  レジスタ
２１０  インタラプトコントロール部
２１１  リセットコントローラ
２１２  インタラプトコントローラ
【図１】
2006180486.tif 000003
【図２】
2006180486.tif 000004
【図３】
2006180486.tif 000005